(57)【要約】【課題】本発明は滑り防止ハンドルカバーを開示した。【解決手段】保護カバーと第一外殻を含み、前記保護カバーがソフトレザー材料と硬いプラスチック材料という二つの材料により接合され、前記保護カバーの外壁には均一に分布する凹みが設置され、前記凹みが摩擦力を増大することができ、使用者が前記保護カバーを握る時に前記保護カバーが滑ることを防止し、前記保護カバーの底部にはいずれも磁性リングが設置され、保護カバーをハンドルにつけることに便利を与え、前記保護カバーには四組のスライド溝が設置され、前記スライド溝が左右対称的に設置され、前記スライド溝の中にはスライドリングが回転できるように設置され、前記スライドリングが前記スライド溝の中で回転でき、且つ前記スライド溝から離脱しない。【選択図】図１
2020152362.tif 000002
【特許請求の範囲】
【請求項１】
保護カバーと第一外殻を含み、前記保護カバーがソフトレザー材料と硬いプラスチック材料という二つの材料により接合され、前記保護カバーの外壁には均一に分布する凹みが設置され、前記凹みが摩擦力を増大することができ、使用者が前記保護カバーを握る時に前記保護カバーが滑ることを防止し、前記保護カバーの中には円溝が設置され、前記円溝がハンドルに付けられ、前記ハンドルは外リングと、操作レバーと、内リングとを含み、前記保護カバーの底部が切断されて設計され、且つ前記保護カバーが切断されるところの左右両端にはいずれも磁性リングが固定的に設置され、前記磁性リングが柔軟な設計であり、二組の前記磁性リングを分離させることにより、保護カバーが広がり、これにより保護カバーをハンドルの外リングにつけることに便利を与え、前記保護カバーには四組のスライド溝が設置され、前記スライド溝が左右対称的に設置され、前記スライド溝の中にはスライドリングが回転できるように設置され、前記スライドリングが前記スライド溝の中で回転でき、且つ前記スライド溝から離脱しなく、前記スライドリングの一端にはコンロッドがヒンジにより連結され、前記コンロッドの一端には半円外殻が設置され、前記半円外殻が二組設置され、前記半円外殻を反転させることにより前記半円外殻をハンドルの内リングに被せることができ、前記半円外殻が前記コンロッドとヒンジにより連結され、前記半円外殻の後側が前記第一外殻と固定的に設置され、前記第一外殻の中には第一扇形溝が設置され、前記第一扇形溝の一端が開口設計であり、前記第一扇形溝の上下両側の端面にはいずれも弧状溝が設置され、前記弧状溝の中にはいずれも弧状ブロックがヒンジにより連結され、前記弧状ブロックの一端には第二外殻が固定的に設置され、前記第二外殻の上下両端にはロック機構が設置され、前記ロック機構により前記第一外殻と前記第二外殻とが前記操作レバーを包むことができ、前記第一外殻と前記第二外殻をロックし、前記第二外殻の前側端面には第二扇形溝が設置され、頂部に位置する前記第二扇形溝の後壁には小凹溝が設置されることを特徴とする滑り防止ハンドルカバー。
【請求項２】
前記ロック機構は前記小空きチャンバの中にスライドできるように設置される二組のネジ山ブロックを含み、二組のネジ山ブロックのネジ山が逆であるように設計され、前記小空きチャンバの片側の前記第二外殻の中には円柱チャンバが設置され、前記円柱チャンバの中には第一ベベルギヤが回転できるように設置され、前記第一ベベルギヤの後側の一部分が前記第二外殻から張り出し、前記円柱チャンバと前記小空きチャンバとの間には回転軸が回転できるように設置され、前記回転軸の一端には前記第一ベベルギヤと噛み合って設置される第二ベベルギヤが固定的に設置され、前記回転軸の外周には捻りばねが設置され、前記捻りばねがそれぞれ前記回転軸と前記小空きチャンバの片側端壁と固定的に連結され、前記回転軸が前記ネジ山ブロックとネジ山により係合連結されることを特徴とする請求項１に記載の滑り防止ハンドルカバー。
【請求項３】
底部に位置する前記第二外殻の底端にはロックブロックが固定的に設置され、前記ロックブロックの中には左右対称の引っ掛かり溝が設置され、前記引っ掛かり溝の中には引っ掛かりブロックがスライドできるように設置され、前記引っ掛かりブロックと前記引っ掛かり溝との間にはばねが装着され、第一外殻を反転させることにより、第一外殻が操作レバーを包み、その後ロックブロックを小凹溝の中に挿入し、引っ掛かりブロックが小空きチャンバの中に引っ掛かり、第二外殻を操作レバーにロックし、アンロックする時、手で前記第一ベベルギヤを捻ることにより、第二ベベルギヤを回転させ、更に回転軸を回転させ、回転軸がネジ山ブロックを連動させて移動させ、ネジ山ブロックが引っ掛かりブロックを推し動かして引っ掛かり溝の中に戻らせ、更にアンロックできることを特徴とする請求項２に記載の滑り防止ハンドルカバー。
【発明の詳細な説明】
【技術分野】
【０００１】
本発明はハンドル技術分野を取り上げて、具体的には滑り防止ハンドルカバーである。
【背景技術】
【０００２】
現在市販されているほとんどのハンドルカバーは単一のトーラス形状であり、ハンドル操作レバーなどのところを効果的に保護できなく、しかも大部分のハンドルは環状であるので、ハンドルカバーを取り付ける時に力を入れてハンドルカバーをハンドルに押す必要があり、取り付けはなかなか不便であり、また使用時間が長くなると、ハンドルカバーが老化し、それでハンドルとハンドルカバーが滑ることが発生しやすく、そのため、開口が底部にあり、取り付けやすく、滑りにくいハンドルカバーを設計し、上記の問題を解決することが必要である。  
【先行技術文献】
【特許文献】
【０００３】
【特許文献１】中国特許出願公開第１０４７４２９５５号明細書
【発明の概要】
【発明が解決しようとする課題】
【０００４】
本発明は滑り防止ハンドルカバーを提供し、従来技術における上記欠点を解消することを目的とする。
【課題を解決するための手段】
【０００５】
本発明の実施例の滑り防止ハンドルカバーは、保護カバーと第一外殻を含み、前記保護カバーがソフトレザー材料と硬いプラスチック材料という二つの材料により接合され、前記保護カバーの外壁には均一に分布する凹みが設置され、前記凹みが摩擦力を増大することができ、使用者が前記保護カバーを握る時に前記保護カバーが滑ることを防止し、前記保護カバーの中には円溝が設置され、前記円溝がハンドルに付けられ、前記ハンドルは外リングと、操作レバーと、内リングとを含み、前記保護カバーの底部が切断されて設計され、且つ前記保護カバーが切断されるところの左右両端にはいずれも磁性リングが固定的に設置され、前記磁性リングが柔軟な設計であり、二組の前記磁性リングを分離させることにより、保護カバーが広がり、これにより保護カバーをハンドルの外リングにつけることに便利を与え、前記保護カバーには四組のスライド溝が設置され、前記スライド溝が左右対称的に設置され、前記スライド溝の中にはスライドリングが回転できるように設置され、前記スライドリングが前記スライド溝の中で回転でき、且つ前記スライド溝から離脱しなく、前記スライドリングの一端にはコンロッドがヒンジにより連結され、前記コンロッドの一端には半円外殻が設置され、前記半円外殻が二組設置され、前記半円外殻を反転させることにより前記半円外殻をハンドルの内リングに被せることができ、前記半円外殻が前記コンロッドとヒンジにより連結され、前記半円外殻の後側が前記第一外殻と固定的に設置され、前記第一外殻の中には第一扇形溝が設置され、前記第一扇形溝の一端が開口設計であり、前記第一扇形溝の上下両側の端面にはいずれも弧状溝が設置され、前記弧状溝の中にはいずれも弧状ブロックがヒンジにより連結され、前記弧状ブロックの一端には第二外殻が固定的に設置され、前記第二外殻の上下両端にはロック機構が設置され、前記ロック機構により前記第一外殻と前記第二外殻とが前記操作レバーを包むことができ、前記第一外殻と前記第二外殻をロックし、前記第二外殻の前側端面には第二扇形溝が設置され、頂部に位置する前記第二扇形溝の後壁には小凹溝が設置される。
【０００６】
更の技術プランとして、前記ロック機構は前記小空きチャンバの中にスライドできるように設置される二組のネジ山ブロックを含み、二組のネジ山ブロックのネジ山が逆であるように設計され、前記小空きチャンバの片側の前記第二外殻の中には円柱チャンバが設置され、前記円柱チャンバの中には第一ベベルギヤが回転できるように設置され、前記第一ベベルギヤの後側の一部分が前記第二外殻から張り出し、前記円柱チャンバと前記小空きチャンバとの間には回転軸が回転できるように設置され、前記回転軸の一端には前記第一ベベルギヤと噛み合って設置される第二ベベルギヤが固定的に設置され、前記回転軸の外周には捻りばねが設置され、前記捻りばねがそれぞれ前記回転軸と前記小空きチャンバの片側端壁と固定的に連結され、前記回転軸が前記ネジ山ブロックとネジ山により係合連結される。
【０００７】
更の技術プランとして、底部に位置する前記第二外殻の底端にはロックブロックが固定的に設置され、前記ロックブロックの中には左右対称の引っ掛かり溝が設置され、前記引っ掛かり溝の中には引っ掛かりブロックがスライドできるように設置され、前記引っ掛かりブロックと前記引っ掛かり溝との間にはばねが装着され、第一外殻を反転させることにより、第一外殻が操作レバーを包み、その後ロックブロックを小凹溝の中に挿入し、引っ掛かりブロックが小空きチャンバの中に引っ掛かり、第二外殻を操作レバーにロックし、アンロックする時、手で前記第一ベベルギヤを捻ることにより、第二ベベルギヤを回転させ、更に回転軸を回転させ、回転軸がネジ山ブロックを連動させて移動させ、ネジ山ブロックが引っ掛かりブロックを推し動かして引っ掛かり溝の中に戻らせ、更にアンロックできる。
【０００８】
使用する時、磁性リングを開け、保護カバーをハンドルにつけ、その後第一外殻と第二外殻を反転させ、これにより前記第一外殻と第二外殻を前記操作レバーに被せ、この時、ロックブロックを小空きチャンバの中に挿入し、これにより引っ掛かりブロックがばねの弾力作用のもとで小空きチャンバの中に引っ掛かり、更にこれにより第二外殻を操作レバーにロックし、アンロックする時、手で前記第一ベベルギヤを捻ることにより、第二ベベルギヤを回転させ、更に回転軸を回転させ、回転軸がネジ山ブロックを連動させて移動させ、ネジ山ブロックが引っ掛かりブロックを推し動かして引っ掛かり溝の中に戻らせ、更にアンロックできる。
【発明の効果】
【０００９】
本発明の有益効果は：従来のハンドルカバーと比べ、本発明は第一外殻を反転させ、第一外殻が操作レバーを包むことにより、ハンドルの操作レバーを保護でき、そしてロック機構が第一外殻と第二外殻をロックし、ハンドルカバーとハンドルを滑らないようにし、また本発明の保護カバーがソフトレザー材料と硬いプラスチック材料材料により構成され、しかも保護カバーの底部が切断設計であり、取り付ける時にハンドルカバーを広げて取り付け、従来のハンドルカバーを強いてハンドルにつけることによりハンドルカバーを壊す問題を避け、取り付けることにもっと便利である。
【図面の簡単な説明】
【００１０】
【図１】図１は本発明の滑り防止ハンドルカバーの正面図である；
【図２】図２は本発明の保護カバーの部分断面図である；
【図３】図３は本発明の中の第一外殻の拡大模式図である；
【図４】図４は本発明の図３の中のＡの部分拡大模式図である；
【図５】図５は本発明の図３の中のＢの部分拡大模式図である；
【図６】図６は本発明の中の磁性リングの模式図である；
【図７】図７は本発明の中のハンドルの模式図である；
【図８】図８は本発明の中のスライドリングの模式図である。
【発明を実施するための形態】
【００１１】
以下に図１〜８を交えて本発明について詳しく説明する。便利に叙述するために、現在は後文に出る方位を下記の通りに規定する：後文に出る上下左右前後方向は図１本体の投影関係の上下左右前後方向と一致する。
【００１２】
図１〜８を参照し、本発明の実施例の滑り防止ハンドルカバーは、保護カバー１０と第一外殻４１を含み、前記保護カバー１０がソフトレザー材料１４と硬いプラスチック材料１２という二つの材料により接合され、前記保護カバー１０の外壁には均一に分布する凹み１１が設置され、前記凹み１１が摩擦力を増大することができ、使用者が前記保護カバー１０を握る時に前記保護カバー１０が滑ることを防止し、前記保護カバー１０の中には円溝２０が設置され、前記円溝２０がハンドルに付けられ、前記ハンドルは外リング６１と、操作レバー１７と、内リング６０とを含み、前記保護カバー１０の底部が切断されて設計され、且つ前記保護カバー１０が切断されるところの左右両端にはいずれも磁性リング１３が固定的に設置され、前記磁性リング１３が柔軟な設計であり、二組の前記磁性リング１３を分離させることにより、保護カバー１０が広がり、これにより保護カバー１０をハンドルの外リング６１につけることに便利を与え、前記保護カバー１０には四組のスライド溝４０が設置され、前記スライド溝４０が左右対称的に設置され、前記スライド溝４０の中にはスライドリング１８が回転できるように設置され、前記スライドリング１８が前記スライド溝４０の中で回転でき、且つ前記スライド溝４０から離脱しなく、前記スライドリング１８の一端にはコンロッド２１がヒンジにより連結され、前記コンロッド２１の一端には半円外殻２４が設置され、前記半円外殻２４が二組設置され、前記半円外殻２４を反転させることにより前記半円外殻２４をハンドルの内リング６０に被せることができ、前記半円外殻２４が前記コンロッド２１とヒンジにより連結され、前記半円外殻２４の後側が前記第一外殻４１と固定的に設置され、前記第一外殻４１の中には第一扇形溝２５が設置され、前記第一扇形溝２５の一端が開口設計であり、前記第一扇形溝２５の上下両側の端面にはいずれも弧状溝２７が設置され、前記弧状溝２７の中にはいずれも弧状ブロック２６がヒンジにより連結され、前記弧状ブロック２６の一端には第二外殻２２が固定的に設置され、前記第二外殻２２の上下両端にはロック機構５０が設置され、前記ロック機構５０により前記第一外殻４１と前記第二外殻２２とが前記操作レバー１７を包むことができ、前記第一外殻４１と前記第二外殻２２をロックし、前記第二外殻２２の前側端面には第二扇形溝２３が設置され、頂部に位置する前記第二扇形溝２３の後壁には小凹溝３４が設置される。
【００１３】
前記ロック機構５０は前記小空きチャンバ３３の中にスライドできるように設置される二組のネジ山ブロック３２を含み、二組のネジ山ブロック３２のネジ山が逆であるように設計され、前記小空きチャンバ３３の片側の前記第二外殻２２の中には円柱チャンバ２８が設置され、前記円柱チャンバ２８の中には第一ベベルギヤ２９が回転できるように設置され、前記第一ベベルギヤ２９の後側の一部分が前記第二外殻２２から張り出し、前記円柱チャンバ２８と前記小空きチャンバ３３との間には回転軸３１が回転できるように設置され、前記回転軸３１の一端には前記第一ベベルギヤ２９と噛み合って設置される第二ベベルギヤ３０が固定的に設置され、前記回転軸３１の外周には捻りばね４２が設置され、前記捻りばね４２がそれぞれ前記回転軸３１と前記小空きチャンバ３３の片側端壁と固定的に連結され、前記回転軸３１が前記ネジ山ブロック３２とネジ山により係合連結される。
【００１４】
底部に位置する前記第二外殻２２の底端にはロックブロック３５が固定的に設置され、前記ロックブロック３５の中には左右対称の引っ掛かり溝３８が設置され、前記引っ掛かり溝３８の中には引っ掛かりブロック３６がスライドできるように設置され、前記引っ掛かりブロック３６と前記引っ掛かり溝３８との間にはばね３７が装着され、第一外殻４１を反転させることにより、第一外殻４１が操作レバー１７を包み、その後ロックブロック３５を小凹溝３４の中に挿入し、引っ掛かりブロック３６が小空きチャンバ３３の中に引っ掛かり、第二外殻２２を操作レバー１７にロックし、アンロックする時、手で前記第一ベベルギヤ２９を捻ることにより、第二ベベルギヤ３０を回転させ、更に回転軸３１を回転させ、回転軸３１がネジ山ブロック３２を連動させて移動させ、ネジ山ブロック３２が引っ掛かりブロック３６を推し動かして引っ掛かり溝３８の中に戻らせ、更にアンロックできる。
【００１５】
使用する時、磁性リング１３を開け、保護カバー１０をハンドルにつけ、その後第一外殻４１と第二外殻２２を反転させ、これにより前記第一外殻４１と第二外殻２２を前記操作レバー１７に被せ、この時、ロックブロック３５を小空きチャンバ３３の中に挿入し、これにより引っ掛かりブロック３６がばね３７の弾力作用のもとで小空きチャンバ３３の中に引っ掛かり、更にこれにより第二外殻２２を操作レバー１７にロックし、アンロックする時、手で前記第一ベベルギヤ２９を捻ることにより、第二ベベルギヤ３０を回転させ、更に回転軸３１を回転させ、回転軸３１がネジ山ブロック３２を連動させて移動させ、ネジ山ブロック３２が引っ掛かりブロック３６を推し動かして引っ掛かり溝３８の中に戻らせ、更にアンロックできる。
【００１６】
本発明の有益効果は：従来のハンドルカバーと比べ、本発明は第一外殻を反転させ、第一外殻が操作レバーを包むことにより、ハンドルの操作レバーを保護でき、そしてロック機構が第一外殻と第二外殻をロックし、ハンドルカバーとハンドルを滑らないようにし、また本発明の保護カバーがソフトレザー材料と硬いプラスチック材料材料により構成され、しかも保護カバーの底部が切断設計であり、取り付ける時にハンドルカバーを広げて取り付け、従来のハンドルカバーを強いてハンドルにつけることによりハンドルカバーを壊す問題を避け、取り付けることにもっと便利である。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020152362.tif 000003
【図２】
2020152362.tif 000004
【図３】
2020152362.tif 000005
【図４】
2020152362.tif 000006
【図５】
2020152362.tif 000007
【図６】
2020152362.tif 000008
【図７】
2020152362.tif 000009
【図８】
2020152362.tif 000010
【手続補正書】
【提出日】令和1年7月9日(2019.7.9)
【手続補正１】
【補正対象書類名】特許請求の範囲
【補正対象項目名】全文
【補正方法】変更
【補正の内容】
【特許請求の範囲】
【請求項１】
保護カバーと第一外殻を含み、前記保護カバーがソフトレザー材料と硬いプラスチック材料という二つの材料により接合され、前記保護カバーの外壁には均一に分布する凹みが設置され、前記凹みが摩擦力を増大することができ、使用者が前記保護カバーを握る時に前記保護カバーが滑ることを防止し、前記保護カバーの中には円溝が設置され、前記円溝がハンドルに付けられ、前記ハンドルは外リングと、スポークと、内リングとを含み、前記保護カバーの底部が切断されて設計され、且つ前記保護カバーが切断されるところの左右両端にはいずれも磁性リングが固定的に設置され、二つの前記磁性リングを分離させることにより、保護カバーが広がり、これにより保護カバーをハンドルの外リングにつけることに便利を与え、前記保護カバーには四つのスライド溝が設置され、前記スライド溝が左右対称的に設置され、前記スライド溝の中にはスライドリングが回転できるように設置され、前記スライドリングが前記スライド溝の中で回転でき、且つ前記スライド溝から離脱しなく、前記スライドリングの一端にはコンロッドがヒンジにより連結され、前記コンロッドの一端には半円外殻が設置され、前記半円外殻が二つ設置され、前記半円外殻を反転させることにより前記半円外殻をハンドルの内リングに被せることができ、前記半円外殻が前記コンロッドとヒンジにより連結され、前記半円外殻が前記第一外殻と固定的に設置され、前記第一外殻の中には第一扇形溝が設置され、前記第一扇形溝の一端が開口しており、前記第一外殻の上下両側の端面にはいずれも弧状溝が設置され、前記弧状溝の中にはいずれも弧状ブロックがヒンジにより連結され、前記弧状ブロックの一端には第二外殻が固定的に設置され、前記第一外殻の上側の前記第二外殻の上端と前記第一外殻の下側の前記第二外殻の下端にはロック機構が設置され、前記ロック機構により前記第一外殻と前記第二外殻とが前記スポークを包むことができ、前記第一外殻と前記第二外殻をロックし、前記第二外殻の中には第二扇形溝が設置され、頂部に位置する前記第二扇形溝には小凹溝が設置されることを特徴とする滑り防止ハンドルカバー。
【請求項２】
前記ロック機構は小空きチャンバの中にスライドできるように設置される二つのネジ山ブロックを含み、二つのネジ山ブロックのネジ山が逆であるように設計され、前記小空きチャンバの片側の前記第二外殻の中には円柱チャンバが設置され、前記円柱チャンバの中には第一ベベルギヤが回転できるように設置され、前記第一ベベルギヤのうち前記第二ベベルギヤから離れた端が前記第二外殻から張り出し、前記円柱チャンバと前記小空きチャンバとの間には回転軸が回転できるように設置され、前記回転軸の一端には前記第一ベベルギヤと噛み合って設置される第二ベベルギヤが固定的に設置され、前記回転軸の外周には捻りばねが設置され、前記捻りばねがそれぞれ前記回転軸と前記小空きチャンバの片側端壁と固定的に連結され、前記回転軸が前記ネジ山ブロックとネジ山により係合連結されることを特徴とする請求項１に記載の滑り防止ハンドルカバー。
【請求項３】
底部に位置する前記第二外殻の底端にはロックブロックが固定的に設置され、前記ロックブロックの中には左右対称の引っ掛かり溝が設置され、前記引っ掛かり溝の中には引っ掛かりブロックがスライドできるように設置され、前記引っ掛かりブロックと前記引っ掛かり溝との間にはばねが装着され、第一外殻を反転させることにより、第一外殻がスポークを包み、その後ロックブロックを小凹溝の中に挿入し、引っ掛かりブロックが小空きチャンバの中に引っ掛かり、第二外殻をスポークにロックし、アンロックする時、手で前記第一ベベルギヤを捻ることにより、第二ベベルギヤを回転させ、更に回転軸を回転させ、回転軸がネジ山ブロックを連動させて移動させ、ネジ山ブロックが引っ掛かりブロックを推し動かして引っ掛かり溝の中に戻らせ、更にアンロックできることを特徴とする請求項２に記載の滑り防止ハンドルカバー。
【手続補正２】
【補正対象書類名】明細書
【補正対象項目名】全文
【補正方法】変更
【補正の内容】
【発明の詳細な説明】
【技術分野】
【０００１】
本発明はハンドル技術分野を取り上げて、具体的には滑り防止ハンドルカバーである。
【背景技術】
【０００２】
現在市販されているほとんどのハンドルカバーは単一のトーラス形状であり、ハンドルスポークなどのところを効果的に保護できなく、しかも大部分のハンドルは環状であるので、ハンドルカバーを取り付ける時に力を入れてハンドルカバーをハンドルに押す必要があり、取り付けはなかなか不便であり、また使用時間が長くなると、ハンドルカバーが老化し、それでハンドルとハンドルカバーが滑ることが発生しやすく、そのため、開口が底部にあり、取り付けやすく、滑りにくいハンドルカバーを設計し、上記の問題を解決することが必要である。  
【先行技術文献】
【特許文献】
【０００３】
【特許文献１】中国特許出願公開第１０４７４２９５５号明細書
【発明の概要】
【発明が解決しようとする課題】
【０００４】
本発明は滑り防止ハンドルカバーを提供し、従来技術における上記欠点を解消することを目的とする。
【課題を解決するための手段】
【０００５】
本発明の実施例の滑り防止ハンドルカバーは、保護カバーと第一外殻を含み、前記保護カバーがソフトレザー材料と硬いプラスチック材料という二つの材料により接合され、前記保護カバーの外壁には均一に分布する凹みが設置され、前記凹みが摩擦力を増大することができ、使用者が前記保護カバーを握る時に前記保護カバーが滑ることを防止し、前記保護カバーの中には円溝が設置され、前記円溝がハンドルに付けられ、前記ハンドルは外リングと、スポークと、内リングとを含み、前記保護カバーの底部が切断されて設計され、且つ前記保護カバーが切断されるところの左右両端にはいずれも磁性リングが固定的に設置され、二つの前記磁性リングを分離させることにより、保護カバーが広がり、これにより保護カバーをハンドルの外リングにつけることに便利を与え、前記保護カバーには四つのスライド溝が設置され、前記スライド溝が左右対称的に設置され、前記スライド溝の中にはスライドリングが回転できるように設置され、前記スライドリングが前記スライド溝の中で回転でき、且つ前記スライド溝から離脱しなく、前記スライドリングの一端にはコンロッドがヒンジにより連結され、前記コンロッドの一端には半円外殻が設置され、前記半円外殻が二つ設置され、前記半円外殻を反転させることにより前記半円外殻をハンドルの内リングに被せることができ、前記半円外殻が前記コンロッドとヒンジにより連結され、前記半円外殻が前記第一外殻と固定的に設置され、前記第一外殻の中には第一扇形溝が設置され、前記第一扇形溝の一端が開口しており、前記第一外殻の上下両側の端面にはいずれも弧状溝が設置され、前記弧状溝の中にはいずれも弧状ブロックがヒンジにより連結され、前記弧状ブロックの一端には第二外殻が固定的に設置され、前記第一外殻の上側の前記第二外殻の上端と前記第一外殻の下側の前記第二外殻の下端にはロック機構が設置され、前記ロック機構により前記第一外殻と前記第二外殻とが前記スポークを包むことができ、前記第一外殻と前記第二外殻をロックし、前記第二外殻の中には第二扇形溝が設置され、頂部に位置する前記第二扇形溝には小凹溝が設置される。
【０００６】
更の技術プランとして、前記ロック機構は小空きチャンバの中にスライドできるように設置される二つのネジ山ブロックを含み、二つのネジ山ブロックのネジ山が逆であるように設計され、前記小空きチャンバの片側の前記第二外殻の中には円柱チャンバが設置され、前記円柱チャンバの中には第一ベベルギヤが回転できるように設置され、前記第一ベベルギヤのうち前記第二ベベルギヤから離れた端が前記第二外殻から張り出し、前記円柱チャンバと前記小空きチャンバとの間には回転軸が回転できるように設置され、前記回転軸の一端には前記第一ベベルギヤと噛み合って設置される第二ベベルギヤが固定的に設置され、前記回転軸の外周には捻りばねが設置され、前記捻りばねがそれぞれ前記回転軸と前記小空きチャンバの片側端壁と固定的に連結され、前記回転軸が前記ネジ山ブロックとネジ山により係合連結される。
【０００７】
更の技術プランとして、底部に位置する前記第二外殻の底端にはロックブロックが固定的に設置され、前記ロックブロックの中には左右対称の引っ掛かり溝が設置され、前記引っ掛かり溝の中には引っ掛かりブロックがスライドできるように設置され、前記引っ掛かりブロックと前記引っ掛かり溝との間にはばねが装着され、第一外殻を反転させることにより、第一外殻がスポークを包み、その後ロックブロックを小凹溝の中に挿入し、引っ掛かりブロックが小空きチャンバの中に引っ掛かり、第二外殻をスポークにロックし、アンロックする時、手で前記第一ベベルギヤを捻ることにより、第二ベベルギヤを回転させ、更に回転軸を回転させ、回転軸がネジ山ブロックを連動させて移動させ、ネジ山ブロックが引っ掛かりブロックを推し動かして引っ掛かり溝の中に戻らせ、更にアンロックできる。
【０００８】
使用する時、磁性リングを開け、保護カバーをハンドルにつけ、その後第一外殻と第二外殻を反転させ、これにより前記第一外殻と第二外殻を前記スポークに被せ、この時、ロックブロックを小空きチャンバの中に挿入し、これにより引っ掛かりブロックがばねの弾力作用のもとで小空きチャンバの中に引っ掛かり、更にこれにより第二外殻をスポークにロックし、アンロックする時、手で前記第一ベベルギヤを捻ることにより、第二ベベルギヤを回転させ、更に回転軸を回転させ、回転軸がネジ山ブロックを連動させて移動させ、ネジ山ブロックが引っ掛かりブロックを推し動かして引っ掛かり溝の中に戻らせ、更にアンロックできる。
【発明の効果】
【０００９】
本発明の有益効果は：従来のハンドルカバーと比べ、本発明は第一外殻を反転させ、第一外殻がスポークを包むことにより、ハンドルのスポークを保護でき、そしてロック機構が第一外殻と第二外殻をロックし、ハンドルカバーとハンドルを滑らないようにし、また本発明の保護カバーがソフトレザー材料と硬いプラスチック材料材料により構成され、しかも保護カバーの底部が切断設計であり、取り付ける時にハンドルカバーを広げて取り付け、従来のハンドルカバーを強いてハンドルにつけることによりハンドルカバーを壊す問題を避け、取り付けることにもっと便利である。
【図面の簡単な説明】
【００１０】
【図１】図１は本発明の滑り防止ハンドルカバーの正面図である；
【図２】図２は本発明の保護カバーの部分断面図である；
【図３】図３は本発明の中の第一外殻の拡大模式図である；
【図４】図４は本発明の図３の中のＡの部分拡大模式図である；
【図５】図５は本発明の図３の中のＢの部分拡大模式図である；
【図６】図６は本発明の中の磁性リングの模式図である；
【図７】図７は本発明の中のハンドルの模式図である；
【図８】図８は本発明の中のスライドリングの模式図である。
【発明を実施するための形態】
【００１１】
以下に図１〜８を交えて本発明について詳しく説明する。便利に叙述するために、現在は後文に出る方位を下記の通りに規定する：後文に出る上下左右前後方向は図１本体の投影関係の上下左右前後方向と一致する。
【００１２】
図１〜８を参照し、本発明の実施例の滑り防止ハンドルカバーは、保護カバー１０と第一外殻４１を含み、前記保護カバー１０がソフトレザー材料１４と硬いプラスチック材料１２という二つの材料により接合され、前記保護カバー１０の外壁には均一に分布する凹み１１が設置され、前記凹み１１が摩擦力を増大することができ、使用者が前記保護カバー１０を握る時に前記保護カバー１０が滑ることを防止し、前記保護カバー１０の中には円溝２０が設置され、前記円溝２０がハンドルに付けられ、前記ハンドルは外リング６１と、スポーク１７と、内リング６０とを含み、前記保護カバー１０の底部が切断されて設計され、且つ前記保護カバー１０が切断されるところの左右両端にはいずれも磁性リング１３が固定的に設置され、二つの前記磁性リング１３を分離させることにより、保護カバー１０が広がり、これにより保護カバー１０をハンドルの外リング６１につけることに便利を与え、前記保護カバー１０には四つのスライド溝４０が設置され、前記スライド溝４０が左右対称的に設置され、前記スライド溝４０の中にはスライドリング１８が回転できるように設置され、前記スライドリング１８が前記スライド溝４０の中で回転でき、且つ前記スライド溝４０から離脱しなく、前記スライドリング１８の一端にはコンロッド２１がヒンジにより連結され、前記コンロッド２１の一端には半円外殻２４が設置され、前記半円外殻２４が二つ設置され、前記半円外殻２４を反転させることにより前記半円外殻２４をハンドルの内リング６０に被せることができ、前記半円外殻２４が前記コンロッド２１とヒンジにより連結され、前記半円外殻２４が前記第一外殻４１と固定的に設置され、前記第一外殻４１の中には第一扇形溝２５が設置され、前記第一扇形溝２５の一端が開口しており、前記第一外殻４１の上下両側の端面にはいずれも弧状溝２７が設置され、前記弧状溝２７の中にはいずれも弧状ブロック２６がヒンジにより連結され、前記弧状ブロック２６の一端には第二外殻２２が固定的に設置され、前記第一外殻４１の上側の前記第二外殻２２の上端と前記第一外殻４１の下側の前記第二外殻２２の下端にはロック機構５０が設置され、前記ロック機構５０により前記第一外殻４１と前記第二外殻２２とが前記スポーク１７を包むことができ、前記第一外殻４１と前記第二外殻２２をロックし、前記第二外殻２２の中には第二扇形溝２３が設置され、頂部に位置する前記第二扇形溝２３には小凹溝３４が設置される。
【００１３】
前記ロック機構５０は小空きチャンバ３３の中にスライドできるように設置される二つのネジ山ブロック３２を含み、二つのネジ山ブロック３２のネジ山が逆であるように設計され、前記小空きチャンバ３３の片側の前記第二外殻２２の中には円柱チャンバ２８が設置され、前記円柱チャンバ２８の中には第一ベベルギヤ２９が回転できるように設置され、前記第一ベベルギヤ２９のうち前記第二ベベルギヤ３０から離れた端が前記第二外殻２２から張り出し、前記円柱チャンバ２８と前記小空きチャンバ３３との間には回転軸３１が回転できるように設置され、前記回転軸３１の一端には前記第一ベベルギヤ２９と噛み合って設置される第二ベベルギヤ３０が固定的に設置され、前記回転軸３１の外周には捻りばね４２が設置され、前記捻りばね４２がそれぞれ前記回転軸３１と前記小空きチャンバ３３の片側端壁と固定的に連結され、前記回転軸３１が前記ネジ山ブロック３２とネジ山により係合連結される。
【００１４】
底部に位置する前記第二外殻２２の底端にはロックブロック３５が固定的に設置され、前記ロックブロック３５の中には左右対称の引っ掛かり溝３８が設置され、前記引っ掛かり溝３８の中には引っ掛かりブロック３６がスライドできるように設置され、前記引っ掛かりブロック３６と前記引っ掛かり溝３８との間にはばね３７が装着され、第一外殻４１を反転させることにより、第一外殻４１がスポーク１７を包み、その後ロックブロック３５を小凹溝３４の中に挿入し、引っ掛かりブロック３６が小空きチャンバ３３の中に引っ掛かり、第二外殻２２をスポーク１７にロックし、アンロックする時、手で前記第一ベベルギヤ２９を捻ることにより、第二ベベルギヤ３０を回転させ、更に回転軸３１を回転させ、回転軸３１がネジ山ブロック３２を連動させて移動させ、ネジ山ブロック３２が引っ掛かりブロック３６を推し動かして引っ掛かり溝３８の中に戻らせ、更にアンロックできる。
【００１５】
使用する時、磁性リング１３を開け、保護カバー１０をハンドルにつけ、その後第一外殻４１と第二外殻２２を反転させ、これにより前記第一外殻４１と第二外殻２２を前記スポーク１７に被せ、この時、ロックブロック３５を小空きチャンバ３３の中に挿入し、これにより引っ掛かりブロック３６がばね３７の弾力作用のもとで小空きチャンバ３３の中に引っ掛かり、更にこれにより第二外殻２２をスポーク１７にロックし、アンロックする時、手で前記第一ベベルギヤ２９を捻ることにより、第二ベベルギヤ３０を回転させ、更に回転軸３１を回転させ、回転軸３１がネジ山ブロック３２を連動させて移動させ、ネジ山ブロック３２が引っ掛かりブロック３６を推し動かして引っ掛かり溝３８の中に戻らせ、更にアンロックできる。
【００１６】
本発明の有益効果は：従来のハンドルカバーと比べ、本発明は第一外殻を反転させ、第一外殻がスポークを包むことにより、ハンドルのスポークを保護でき、そしてロック機構が第一外殻と第二外殻をロックし、ハンドルカバーとハンドルを滑らないようにし、また本発明の保護カバーがソフトレザー材料と硬いプラスチック材料材料により構成され、しかも保護カバーの底部が切断設計であり、取り付ける時にハンドルカバーを広げて取り付け、従来のハンドルカバーを強いてハンドルにつけることによりハンドルカバーを壊す問題を避け、取り付けることにもっと便利である。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。